(57)【特許請求の範囲】
【請求項１】
流体を圧縮して吐出する圧縮機構部と、
前記圧縮機構部を駆動する電動モータと、
前記電動モータの動作を制御する駆動回路と、
前記駆動回路を収容する駆動回路室とを備え、
前記圧縮機構部と前記電動モータと前記駆動回路とが一体に形成された駆動回路一体型の電動圧縮機であって、
前記駆動回路室の内部を外部に連通する前記駆動回路室の気密性検査ポートを備え、
前記気密性検査ポートは、前記気密性検査ポートを開放又は閉鎖する弁を有し、
前記駆動回路室は、前記気密性検査ポートを通じて加圧又は減圧されることが可能である駆動回路一体型の電動圧縮機。
【請求項２】
前記気密性検査ポートは、前記駆動回路室内を加圧又は減圧するための流体機器から延びる管のコネクタと接続可能であり、
前記弁は、前記コネクタが前記気密性検査ポートに接続されると前記気密性検査ポートを開放し、前記コネクタが前記気密性検査ポートから取り外されると前記気密性検査ポートを閉鎖する請求項１に記載の電動圧縮機。
【請求項３】
前記コネクタは、前記気密性検査ポートにスナップ係合して接続される請求項２に記載の電動圧縮機。
【請求項４】
前記駆動回路室を含むハウジングと、
前記ハウジングの表面に露出して設けられ、前記駆動回路に電気的に接続された端子と、
電源ケーブルが延出し前記ハウジングに取り付け可能な本体を有し、前記本体が前記ハウジングに取り付けられたときに前記電源ケーブルを前記端子に電気的に接続する電源ケーブルユニットと
をさらに備え、
前記気密性検査ポートは、前記電源ケーブルユニットの前記本体に設けられ、前記本体を介して前記駆動回路室に連通する請求項１〜３のいずれか一項に記載の電動圧縮機。
【請求項５】
請求項１〜４のいずれか一項に記載の電動圧縮機の気密性検査方法であって、
前記気密性検査ポートに流体機器から延びる管の１つを接続するステップと、
前記駆動回路に電気的に接続される電源ケーブルの先端に、前記流体機器から延びる別の管を接続するステップと、
前記流体機器を動作させ、前記気密性検査ポートを通じて前記駆動回路室内の流体を吸引する又は前記駆動回路室内に流体を圧送すると共に、前記電源ケーブル内を通じて前記駆動回路室の流体を吸引する又は前記駆動回路室内に流体を圧送するステップと、
前記流体機器から延びる管に設けられた圧力計で前記駆動回路室内の圧力を測定するステップと
を含む電動圧縮機の気密性検査方法。
【発明の詳細な説明】
【技術分野】
【０００１】
この発明は、電動圧縮機及びその気密性検査方法に関する。
【背景技術】
【０００２】
例えば、特許文献１に記載されるように被検査物の気密性を検査する技術が提案されている。
電動圧縮機では、電気部品であるインバータをハウジング内に含んでいる。製造ラインでは、ハウジング内に形成されたインバータを含むインバータ室への水分、ごみ等の侵入を阻止するために、インバータ室の気密性が検査される。そして、この気密性検査は、インバータからハウジングの外部に延びる電源ケーブル（高圧ケーブル）を使用して実施される。つまり、電源ケーブルのコネクタから電源ケーブルの内部を通じて空気を吸引してインバータ室の内部を真空状態にし、この真空状態の保持時間から気密性が判定される。
【先行技術文献】
【特許文献】
【０００３】
【特許文献１】実用新案登録第３０６５７７７号公報
【発明の概要】
【発明が解決しようとする課題】
【０００４】
しかしながら、電動圧縮機の電源ケーブルは、電動圧縮機が搭載される機器や電動圧縮機の納入先の要望にあわせて長さが設定されるため、ケーブル長が長い電動圧縮機もある。ケーブル長が長い場合に、内部の空間容積が小さい電源ケーブルを使用してインバータ室内の空気を吸引すると、真空状態に至るまでの時間が長くなり、それにより気密性検査に要する時間も長くなるため、電動圧縮機の生産性が低下するという問題がある。
【０００５】
この発明はこのような問題点を解決するためになされたものであり、気密性検査に要する時間を短縮することを可能にする電動圧縮機及びその気密性検査方法を提供することを目的とする。
【課題を解決するための手段】
【０００６】
上記の課題を解決するために、この発明に係る電動圧縮機は、流体を圧縮して吐出する圧縮機構部と、圧縮機構部を駆動する電動モータと、電動モータの動作を制御する駆動回路と、駆動回路を収容する駆動回路室とを備え、圧縮機構部と電動モータと駆動回路とが一体に形成された駆動回路一体型の電動圧縮機であって、駆動回路室の内部を外部に連通する駆動回路室の気密性検査ポートを備え、気密性検査ポートは、気密性検査ポートを開放又は閉鎖する弁を有し、駆動回路室は、気密性検査ポートを通じて加圧又は減圧されることが可能である。
【０００７】
気密性検査ポートは、駆動回路室内を加圧又は減圧するための流体機器から延びる管のコネクタと接続可能であり、弁は、コネクタが気密性検査ポートに接続されると気密性検査ポートを開放し、コネクタが気密性検査ポートから取り外されると気密性検査ポートを閉鎖してもよい。
コネクタは、気密性検査ポートにスナップ係合して接続されてもよい。
上記電動圧縮機は、駆動回路室を含むハウジングと、ハウジングの表面に露出して設けられ、駆動回路に電気的に接続された端子と、電源ケーブルが延出しハウジングに取り付け可能な本体を有し、本体がハウジングに取り付けられたときに電源ケーブルを端子に電気的に接続する電源ケーブルユニットとをさらに備え、気密性検査ポートは、電源ケーブルユニットの本体に設けられ、本体を介して駆動回路室に連通してもよい。
【０００８】
また、この発明に係る電動圧縮機の気密性検査方法は、上記電動圧縮機において、気密性検査ポートに流体機器から延びる管の１つを接続するステップと、駆動回路に電気的に接続される電源ケーブルの先端に、流体機器から延びる別の管を接続するステップと、流体機器を動作させ、気密性検査ポートを通じて駆動回路室内の流体を吸引する又は駆動回路室内に流体を圧送すると共に、電源ケーブル内を通じて駆動回路室の流体を吸引する又は駆動回路室内に流体を圧送するステップと、流体機器から延びる管に設けられた圧力計で駆動回路室内の圧力を測定するステップとを含む。
【発明の効果】
【０００９】
この発明に係る電動圧縮機及びその気密性検査方法によれば、気密性検査に要する時間を短縮することが可能になる。
【図面の簡単な説明】
【００１０】
【図１】この発明の実施の形態に係る電動圧縮機を示す模式的な斜視図である。
【図２】図１のｙ−ｙ線及びｚ−ｚ線を通る断面をｘ−ｘ線方向である方向ＩＩからみた電動圧縮機の模式断面側面図である。
【図３】図２の電源ケーブルユニットを拡大し異なる方向からみた断面を示す模式図である。
【図４】この発明の実施の形態に係る電動圧縮機の気密性検査を実施するための構成を示す模式図である。
【発明を実施するための形態】
【００１１】
以下、この発明の実施の形態について添付図面に基づいて説明する。
実施の形態
図１及び図２をあわせて参照すると、この発明の実施の形態に係る電動圧縮機１００が示されている。なお、以下の実施形態において、電動圧縮機１００として、流体を吸入、圧縮して吐出するスクロール型の電動圧縮機を使用した場合の例について説明する。
【００１２】
電動圧縮機１００は、固定スクロールを形成する第二ハウジング２０と、第二ハウジング２０の両側に一体に連結された第一ハウジング１０及び第三ハウジング３０と、第三ハウジングに３０に対して第二ハウジング２０と反対側で一体に連結されたモータハウジング５０とを有している。さらに、電動圧縮機１００は、第三ハウジング３０と反対側でモータハウジング５０に一体に連結されたインバータハウジング６０を有している。
【００１３】
第二ハウジング２０は、固定基板２０ａと、固定基板２０ａから第三ハウジング３０に向かって突出する固定渦巻壁２０ｂと、固定渦巻壁２０ｂの外側を取り囲む外周壁２０ｃとを一体に有している。固定渦巻壁２０ｂは、固定基板２０ａ上で渦巻き状に延びている。
【００１４】
第一ハウジング１０は、第二ハウジング２０の固定基板２０ａ側に取り付けられ、第二ハウジング２０と共に吐出室１２をその内側に形成する。吐出室１２は、第一ハウジング１０に形成された吐出口１３を介して電動圧縮機１００の外部に連通する。
【００１５】
また、電動圧縮機１００は、第二ハウジング２０と第三ハウジング３０との間に、可動スクロール４０を有している。可動スクロール４０は、第二ハウジング２０の固定基板２０ａに対向するように延在する基板４０ａと、基板４０ａから固定基板２０ａに向かって突出する渦巻壁４０ｂとを一体に有している。渦巻壁４０ｂは、基板４０ａ上で渦巻き状に延びて、第二ハウジング２０の固定渦巻壁２０ｂの間にはまりこんでいる。これにより、可動スクロール４０の渦巻壁４０ｂは、第二ハウジング２０の固定渦巻壁２０ｂと当接することによって、閉鎖された三日月状の圧縮室４１を形成することができる。また、可動スクロール４０は、基板４０ａの側方で第三ハウジング３０との間に吸入室１１を形成している。吸入室１１は、図示しない吸入口を介して電動圧縮機１００の外部に連通する。
【００１６】
圧縮室４１は、第二ハウジング２０の外周壁２０ｃ側で吸入室１１に連通し、第二ハウジング２０の固定基板２０ａの中心側で、固定基板２０ａの中心を貫通する吐出ポート２１を介して、吐出室１２に連通する。この吐出ポート２１は、吐出室１２側で固定基板２０ａに固定された板状の吐出弁２２によって開閉される。
【００１７】
また、電動圧縮機１００は、可動スクロール４０の基板４０ａから渦巻壁４０ｂと反対側に突出する筒状のシャフト支持部４０ｃに嵌合する駆動シャフト７０を有している。駆動シャフト７０は、シャフト支持部４０ｃ内でブッシュ３２及び軸受３１を介して回転自在に嵌合する偏心シャフト部７０ｃと、偏心シャフト部７０ｃより径が大きくなった拡径部７０ｂと、拡径部７０ｂから偏心シャフト部７０ｃと反対側のモータハウジング５０内に延びるメインシャフト部７０ａとを一体に有している。拡径部７０ｂは、第三ハウジング３０内の軸受３３を介して回転自在に支持されている。また、偏心シャフト部７０ｃの中心軸は、互いの中心軸を同一とするメインシャフト部７０ａ及び拡径部７０ｂに対して偏心している。
【００１８】
このため、メインシャフト部７０ａを回転させると、偏心シャフト部７０ｃは、メインシャフト部７０ａの回転中心軸の周りを旋回するように回転し、それに伴い、可動スクロール４０は、メインシャフト部７０ａの回転中心軸の周りを公転運動する。この可動スクロール４０の公転運動によって、吸入室１１側で形成された圧縮室４１が、固定基板２０ａの中心の吐出ポート２１に向かって移動しつつその容積を減少させ、内部に含む流体を圧縮する。
ここで、第二ハウジング（固定スクロール）２０、可動スクロール４０及び駆動シャフト７０は、流体を圧縮するための圧縮機構部１００ａを構成している。
【００１９】
モータハウジング５０は、その内部に、第三ハウジング３０と共にモータ室５１を形成している。モータハウジング５０は、軸受５４を介して駆動シャフト７０のメインシャフト部７０ａを回転自在に支持している。また、モータ室５１内では、ロータ５２が、一体に回転するようにメインシャフト部７０ａの周りに固定されている。さらに、モータ室５１内には、ロータ５２を取り囲むようにして、コイル５３ａを有するステータ５３が固定されている。そして、コイル５３ａに交流電流が流されることによって、ステータ５３は、メインシャフト部７０ａと共にロータ５２を回転させる。
ここで、ロータ５２、ステータ５３及びコイル５３ａは、圧縮機構部１００ａを駆動するための電動モータ１００ｂを構成している。
【００２０】
よって、電動圧縮機１００では、外部電源によって電圧が印加されると、コイル５３ａに交流電流が流されてロータ５２が駆動シャフト７０と共に回転し、可動スクロール４０がメインシャフト部７０ａの回転中心軸の周りを公転運動する。これにより、可動スクロール４０の渦巻壁４０ｂと第二ハウジング（固定スクロール）２０の固定渦巻壁２０ｂとの間には、可動スクロール４０の公転に伴って移動しつつ容積を減少させる圧縮室４１が形成される。そして、圧縮室４１が形成されて容積を変える過程で、吸入室１１から圧縮室４１内に流体が潤滑油と共に吸入され、さらに、潤滑油を含む流体は、圧縮室４１内で圧縮された後、吐出ポート２１における吐出弁２２を押し上げて吐出室１２に吐出される。このとき、流体に含まれる潤滑油は、圧縮室４１に流入して吐出ポート２１から吐出されるまでの過程で、可動スクロール４０及び第二ハウジング（固定スクロール）２０の摺動部を潤滑する。
【００２１】
また、インバータハウジング６０は、その内部に、モータハウジング５０と共にインバータ室６１を形成している。インバータ室６１内には、外部電源から供給された電力を制御してコイル５３ａに供給しロータ５２の動作を制御するためのインバータ６２が設けられている。インバータ６２は、電子機器を含む電気部品であり、インバータ室６１内におけるモータハウジング５０の端壁５０ａに取り付けられている。
ここで、インバータ６２は駆動回路を構成し、インバータ室６１は駆動回路室を構成している。
【００２２】
インバータハウジング６０の外周壁６０ａには、インバータ室６１を外部に連通する第一貫通穴６１ａが形成されており、この第一貫通穴６１ａ内には、端子６３が嵌合している。
図２及び図３をあわせて参照すると、端子６３は、本体６３ａと端子ピン６３ｂとを有している。
【００２３】
端子ピン６３ｂは、外周壁６０ａからインバータハウジング６０の外側に向かって突出している。そして、外周壁６０ａの外表面６０ａ１では、端子ピン６３ｂを取り囲む外部Ｏリング６３ｃが設けられている。外部Ｏリング６３ｃは、その全周にわたって外表面６０ａ１から突出するようにして取り付けられている。また、端子６３は、インバータ室６１内で第一ケーブル６４によってインバータ６２と電気的に接続されている。
【００２４】
モータハウジング５０の端壁５０ａには、インバータ室６１をモータ室５１に連通する第二貫通穴６１ｂが形成されている。この第二貫通穴６１ｂ内には、気密端子６６が嵌合している。気密端子６６は、その本体６６ａの外周面を囲むＯリング６６ｂを有している。このＯリング６６ｂは、本体６６ａと第二貫通穴６１ｂの壁面との間の気密を確保し、それによって気密端子６６は、第二貫通穴６１ｂを気密状態で閉鎖する。その結果、インバータ室６１及びモータ室５１の間の連通は、気密端子６６によって気密状態で遮断されている。
【００２５】
さらに、気密端子６６は、本体６６ａからインバータ室６１内に向かって導電部材６６ｃを突出させている。また、導電部材６６ｃは、モータ室５１内におけるモータハウジング５０の外周壁５０ｂとステータ５３との間にも延びている。本体６６ａから突出する導電部材６６ｃには、インバータ６２から延びる第二ケーブル６５のソケット６５ａが連結され、それにより第二ケーブル６５は、インバータ６２を導電部材６６ｃに電気的に接続する。
【００２６】
また、モータ室５１内における導電部材６６ｃの端部には、モータハーネス６７の端部のソケット６７ａが連結されている。モータハーネス６７は、他方の端部に接続端子６７ｂを有しており、接続端子６７ｂを介してステータ５３のコイル５３ａに電気的に接続されている。
よって、端子６３から電力が供給されると、供給された電力は、第一ケーブル６４を通ってインバータ６２に送られる。送られた電力は、インバータ６２によってその出力が調節され、調節された電力は、第二ケーブル６５、気密端子６６及びモータハーネス６７を通ってコイル５３ａに供給される。
【００２７】
また、インバータハウジング６０の外周壁６０ａには、外側から電源ケーブルユニット１０１が取り付けられている。
電源ケーブルユニット１０１は、外周壁６０ａにおける端子６３の端子ピン６３ｂが突出している部位に取り付けられる箱状のユニット本体部１０２と、ユニット本体部１０２の内部１０２ｂから延びる電源ケーブル１０３と、電源ケーブル１０３の先端に取り付けられた電源コネクタ１０４とを有している。電源コネクタ１０４は、外部電源から延びるケーブルのコネクタに接続されて、電力の供給を受けるように構成されている。
【００２８】
ユニット本体部１０２は、その底部１０２ａに端子６３の端子ピン６３ｂを差し込むための差込穴１０２ａ１を有している。そして、ユニット本体部１０２は、差込穴１０２ａ１に端子ピン６３ｂを差し込むようにしてインバータハウジング６０の外周壁６０ａにボルト等で取り付け、固定される。このとき、底部１０２ａは、インバータハウジング６０の外部Ｏリング６３ｃの全体を覆い且つ全体と接触する。その結果、外部Ｏリング６３ｃによって、端子６３の端子ピン６３ｂの周囲におけるインバータ室６１の内部及びユニット本体部１０２の内部１０２ｂの外部に対する気密性が確保される。なお、インバータ室６１の内部とユニット本体部１０２の内部１０２ｂとは、端子６３の周囲（本体６３ａと第一貫通穴６１ａとの隙間）を通じて連通している。
【００２９】
ユニット本体部１０２の内部１０２ｂには、外部から延びる電源ケーブル１０３の先端に接続されたケーブルソケット１０３ａが配置されている。ケーブルソケット１０３ａは、ユニット本体部１０２の底部１０２ａにおける差込穴１０２ａ１の位置に取り付けられ、端子６３の端子ピン６３ｂが差し込まれるように構成されている。そして、ケーブルソケット１０３ａは、端子ピン６３ｂを電源ケーブル１０３に電気的に接続する。
【００３０】
また、ユニット本体部１０２では、電源ケーブル１０３がユニット本体部１０２の壁を貫通する穴１０２ｃにシール部材１０２ｄが設けられている。これにより、ユニット本体部１０２の内部１０２ｂ及びインバータ室６１の内部の気密性が保たれている。
また、ユニット本体部１０２は、その外表面から突出する略筒状の気密性検査ポート１０５を有している。気密性検査ポート１０５は、ユニット本体部１０２の内部１０２ｂを外部に連通することができ、図示しない真空ポンプに接続されたエアホース８５ａの先端の第一コネクタ８６とスナップ係合するようにカプラ構造を有している。
【００３１】
気密性検査ポート１０５は、ユニット本体部１０２から一体に突出する管状部１０５ａを有している。管状部１０５ａの外表面には、管状部１０５ａを周方向に取り囲むようにして略直角三角形状の断面を有する環状突起１０５ｂが一体に形成されている。環状突起１０５ｂは、管状部１０５ａの先端側で傾斜が緩くなっている。
さらに、管状部１０５ａの内部には、エアバルブ（弁）１０６が設けられている。
エアバルブ１０６は、ユニット本体部１０２側で管状部１０５ａの内部に配置・固定された弁支持部材１０６ｄと、弁支持部材１０６ｄに挿入された弁棒１０６ａとを有している。弁支持部材１０６ｄは、弁棒１０６ａを管状部１０５ａの軸方向にスライド可能に支持し、弁棒１０６ａを支持する部位の径方向外側に形成された穴１０６ｄ１を通じて、管状部１０５ａの内部をユニット本体部１０２の内部１０２ｂに連通する。弁棒１０６ａは、その途中の一部で拡径しており円錐台状の弁体１０６ａ１を含んでいる。
【００３２】
また、エアバルブ１０６は、管状部１０５ａ内における弁体１０６ａ１よりも先端側に配置・固定された円筒状の弁座部材１０６ｂをさらに有している。弁棒１０６ａは、弁座部材１０６ｂの貫通孔１０６ｂ１を貫通して延びている。さらに、弁棒１０６ａにおける弁体１０６ａ１と弁支持部材１０６ｄとの間には、バネ１０６ｃが設けられている。バネ１０６ｃは、弁体１０６ａ１を弁座部材１０６ｂの貫通孔１０６ｂ１に向かって付勢し、それにより、弁体１０６ａ１が貫通孔１０６ｂ１を閉鎖する。一方、弁体１０６ａ１から弁座部材１０６ｂを貫通して延びる弁棒１０６ａの先端を、弁支持部材１０６ｄに向かって押し動かすことによって、貫通孔１０６ｂ１を閉鎖している弁体１０６ａ１が貫通孔１０６ｂ１を開放する。
【００３３】
また、第一コネクタ８６は、エアホース８５ａの先端から筒状の形状を有して延び、可撓性のある材料から形成されている。第一コネクタ８６は、管状部１０５ａの外表面に整合する円筒状の内周面８６ｂ１を有し、内周面８６ｂ１には、環状のシール材８６ｃが一部埋め込まれて設けられている。また、第一コネクタ８６は、先端側で径が大きくなった内周面８６ｂ２を有し、内周面８６ｂ２の内側に環状突起１０５ｂを受け入れることができるようになっている。さらに、第一コネクタ８６における内周面８６ｂ２が位置する部位は、軸方向に延びる図示しないスリットによって複数に分割されており、この分割された部位の先端には、内周面８６ｂ２から内向きに突出する係合突起８６ａが形成されている。
【００３４】
また、第一コネクタ８６の内周面８６ｂ１には、ストッパ８６ｄが配置・固定されている。ストッパ８６ｄは、気密性検査ポート１０５を第一コネクタ８６に差し込んだときに管状部１０５ａに当接する当接部８６ｄ１及び弁棒１０６ａを押し動かす中央突起部８６ｄ２を有し、当接部８６ｄ１及び中央突起部８６ｄ２の間に流体を流通させることができる。
【００３５】
よって、第一コネクタ８６を取り付けるために第一コネクタ８６に気密性検査ポート１０５を差し込ませると、第一コネクタ８６の係合突起８６ａが気密性検査ポート１０５の管状部１０５ａの環状突起１０５ｂを乗り越えてスナップ係合する。このとき、管状部１０５ａが第一コネクタ８６のストッパ８６ｄの当接部８６ｄ１に当接し、それにより、第一コネクタ８６が気密性検査ポート１０５に対して固定される。同時に、ストッパ８６ｄの中央突起部８６ｄ２が弁棒１０６ａを弁支持部材１０６ｄに向かって押し動かし、それにより、弁体１０６ａ１が貫通孔１０６ｂ１を開放し、エアホース８５ａの内部がユニット本体部１０２の内部１０２ｂに連通する。さらに、シール材８６ｃが管状部１０５ａと第一コネクタ８６との間の気密を保つ。
【００３６】
また、気密性検査ポート１０５に取り付けられた第一コネクタ８６の係合突起８６ａを径方向外側に向かって拡げて引き抜くことによって、第一コネクタ８６を取り外すことができる。このとき、バネ１０６ｃの付勢力によって、弁体１０６ａ１が、弁棒１０６ａと共に弁座部材１０６ｂに向かって移動し、貫通孔１０６ｂ１を閉鎖する。これによって、ユニット本体部１０２の内部１０２ｂが、気密性検査ポート１０５の外部と遮断されて気密性が保たれる。
【００３７】
図１及び図２をあわせて参照すると、電動圧縮機１００において、電気部品であるインバータ６２を含むインバータ室６１では、電動圧縮機１００内を流通する潤滑油を含む流体の流入、及び電動圧縮機１００の外部からの水分、ごみ等の侵入を防ぐことが必要である。よって、インバータ室６１はモータ室５１及び電動圧縮機１００の外部と遮断されて内部の気密が保たれている必要がある。このため、電動圧縮機１００では、インバータ室６１の気密性の検査が、製造ラインの途中などの製造段階で実施される。
【００３８】
図４を参照すると、インバータ室６１（図２参照）の気密性検査は、流体機器である真空ポンプ８１を使用してインバータ室６１の内部を所定の圧力（負圧）まで減圧した後、真空ポンプ８１による減圧を停止し、その後のインバータ室６１の圧力変動の経過を計測することによって実施される。
このとき、真空ポンプ８１から延びるエアホース８５は、その途中で２つの第一ホース部８５ａ及び第二ホース部８５ｂに分岐するものが使用される。第一ホース部８５ａの先端には、第一コネクタ８６が取り付けられており、第二ホース部８５ｂの先端には、第二コネクタ８７が取り付けられている。
【００３９】
第一コネクタ８６は、上述したように電動圧縮機１００の気密性検査ポート１０５の管状部１０５ａ（図３参照）の上から被せてスナップ係合させることによって、気密性検査ポート１０５に接続されている。
第二コネクタ８７は、電動圧縮機１００の電源コネクタ１０４と接続されており、接続時に電源コネクタ１０４に対して互いの間を気密状態にするように構成されている。
また、エアホース８５の途中において、第一ホース部８５ａ及び第二ホース部８５ｂよりも真空ポンプ８１側には、エアホース８５を流通する流体の流量を調節するための流量調整弁８２が設けられている。さらに、エアホース８５において、流量調整弁８２の上流側である第一ホース部８５ａ及び第二ホース部８５ｂ側には、圧力計８３が設けられている。
【００４０】
よって、流量調整弁８２を開放して真空ポンプ８１を作動すると、真空ポンプ８１は、エアホース８５並びにその第一ホース部８５ａ及び第二ホース部８５ｂを介して空気を吸引する。
【００４１】
図２及び図３もあわせて参照すると、第一ホース部８５ａを介して空気を吸引することによって、第一コネクタ８６及び気密性検査ポート１０５を通じて、電源ケーブルユニット１０１におけるユニット本体部１０２の内部１０２ｂの空気が吸引される。これにより、端子６３における本体６３ａと第一貫通穴６１ａとの隙間を通じて、インバータ室６１内の空気が吸引される。
【００４２】
つまり、インバータ室６１内の空気は、端子６３の周囲（本体６３ａと第一貫通穴６１ａとの隙間）、ユニット本体部１０２の内部１０２ｂ、気密性検査ポート１０５、第一コネクタ８６及びエアホース８５の第一ホース部８５ａを通って、真空ポンプ８１に吸引される。
【００４３】
また、第二ホース部８５ｂを介して空気を吸引することによって、第二コネクタ８７を通じて、電源コネクタ１０４内の端子の周囲からこの端子に接続されている電源ケーブル１０３の内部の空気が吸引される。これにより、ケーブルソケット１０３ａの内部から、端子６３における本体６３ａと第一貫通穴６１ａとの隙間を通じて、インバータ室６１内の空気が吸引される。
【００４４】
つまり、インバータ室６１内の空気は、端子６３の周囲（本体６３ａと第一貫通穴６１ａとの隙間）、ケーブルソケット１０３ａの内部、電源ケーブル１０３の内部、電源コネクタ１０４、第二コネクタ８７及びエアホース８５の第二ホース部８５ｂを通って、真空ポンプ８１に吸引される。
【００４５】
圧力計８３の示す圧力が所定の圧力（負圧）に達すると、流量調整弁８２を動作させてエアホース８５を閉鎖し、真空ポンプ８１が停止される。そして、圧力計８３の示す圧力が上記の所定の圧力で所定の時間維持されれば、インバータ室６１内の気密が保たれていると判定される。
一方、真空ポンプ８１を作動させても圧力計８３の示す圧力が所定の圧力に達しない場合、及び流量調整弁８２の閉弁後に圧力計８３の示す圧力が所定の時間内に上昇する場合は、インバータ室６１内への空気の流入が発生しており気密性が保たれていないと判定できる。
【００４６】
上述より、電動圧縮機１００では、気密性検査時、気密性検査ポート１０５を使用してインバータ室６１内の空気を吸引することによって、空気の吸入経路を電源ケーブル１０３を使用して吸引する場合よりも大きくすることができると共に、吸入経路の長さを短くすることができるため、インバータ室６１内を所定の圧力（負圧）に低下させるまでの時間が短縮されている。さらに、電動圧縮機１００では、気密性検査時、気密性検査ポート１０５に加え電源ケーブル１０３を使用した２つの系統によってインバータ室６１内の空気を吸引しているため、インバータ室６１内を所定の圧力（負圧）に低下させるまでの時間がさらに短縮されている。
【００４７】
このように、この発明に係る電動圧縮機１００は、流体を圧縮して吐出する圧縮機構部１００ａと、圧縮機構部１００ａを駆動する電動モータ１００ｂと、電動モータ１００ｂの動作を制御するインバータ６２と、インバータ６２を収容するインバータ室６１と、インバータ室６１の内部を外部に連通するインバータ室６１の気密性検査ポート１０５とを備える。気密性検査ポート１０５は、気密性検査ポート１０５を開放又は閉鎖するエアバルブ１０６を有し、インバータ室６１は、気密性検査ポート１０５を通じて加圧又は減圧されることが可能である。
【００４８】
これによって、インバータ室６１に対して気密性検査のための専用の気密性検査ポート１０５が設けられ、この気密性検査ポート１０５に真空ポンプ８１等の流体機器から延びる管を接続すればよいため、気密性検査の実施が容易になる。さらに、流体機器から延びる管に接続した電源ケーブル１０３を通じてインバータ室６１内を加圧又は減圧する場合と比較して、流体機器から延びる管に接続した気密性検査ポート１０５を通じてインバータ室６１内を加圧又は減圧する場合では、管との接続部である気密性検査ポート１０５とインバータ室６１との間の距離を短くすることができると共に、この間の空気の流路断面積を大きくすることができる。よって、電動圧縮機１００は、インバータ室６１を加圧又は減圧するための時間を短縮し、気密性検査に要する時間を短縮することができる。
【００４９】
また、電動圧縮機１００において、気密性検査ポート１０５は、インバータ室６１内を加圧又は減圧するための流体機器から延びる管の第一コネクタ８６と接続可能である。さらに、エアバルブ１０６は、第一コネクタ８６が気密性検査ポート１０５に接続されると気密性検査ポート１０５を開放し、第一コネクタ８６が気密性検査ポート１０５から取り外されると気密性検査ポート１０５を閉鎖する。さらに、第一コネクタ８６は、気密性検査ポート１０５にスナップ係合して接続される。これによって、第一コネクタ８６の気密性検査ポート１０５への取り付け及び取り外しと、それに伴うエアバルブ１０６の開放及び閉鎖とが容易になり、気密性検査に要する時間を短縮することができる。
【００５０】
また、電動圧縮機１００は、インバータ室６１を含むインバータハウジング６０を備えている。さらに、電動圧縮機１００は、インバータハウジング６０の表面に露出して設けられ、インバータ６２に電気的に接続された端子６３を備えている。また、電動圧縮機１００は、電源ケーブル１０３が延出しインバータハウジング６０に取り付け可能なユニット本体部１０２を有し且つユニット本体部１０２がインバータハウジング６０に取り付けられたときに電源ケーブル１０３を端子６３に電気的に接続する電源ケーブルユニット１０１を備えている。そして、気密性検査ポート１０５は、電源ケーブルユニット１０１のユニット本体部１０２に設けられ、ユニット本体部１０２を介してインバータ室６１に連通する。これによって、様々な型式の電動圧縮機に対して、電動圧縮機自体を改造することなく、電源ケーブルユニット１０１を取り付けるだけで、気密性検査ポート１０５を設けることができる。
【００５１】
また、実施の形態では、気密性の検査時、真空ポンプ８１を用いてインバータ室６１内を真空状態にしていたが、これに限定されない。空気圧縮機を用いてインバータ室６１内を所定の圧力まで加圧し、その後の高い所定の圧力の保持時間を測定するようにしてもよい。
また、実施の形態の電動圧縮機１００では、気密性検査ポート１０５は、電源ケーブルユニット１０１に設けられていたが、これに限定されるものでなく、インバータハウジング６０に設けられてもよい。
【００５２】
また、実施の形態の電動圧縮機１００では、インバータ室６１の内部とユニット本体部１０２の内部１０２ｂとは、端子６３の周囲を通じて連通していたが、端子６３の本体６３ａに連通孔を設けて連通させてもよい。また、インバータハウジング６０及びユニット本体部１０２を貫通する連通孔によって、インバータ室６１の内部とユニット本体部１０２の内部１０２ｂとを連通させてもよい。
また、実施の形態では、電動圧縮機１００は、スクロール型の圧縮機であったが、これに限定されるものでなく、気密性を要する空間を有する圧縮機であればよく、ベーン型等であってもよい。
【符号の説明】
【００５３】
６０  インバータハウジング、６１  インバータ室（駆動回路室）、６２  インバータ（駆動回路）、６３  端子、８１  真空ポンプ（流体機器）、８６  第一コネクタ、１００  電動圧縮機、１００ａ  圧縮機構部、１００ｂ  電動モータ、１０１  電源ケーブルユニット、１０２  ユニット本体部、１０３  電源ケーブル、１０４  電源コネクタ、１０５  気密性検査ポート、１０６  エアバルブ（弁）。
【図１】
0005522184.tif 000002
【図２】
0005522184.tif 000003
【図３】
0005522184.tif 000004
【図４】
0005522184.tif 000005